Podtech/llm-jp-corpus-v4-ja_patent huggingface dataset:
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
対象者の１又はそれ以上のパラメータのモニタリングで使用するためのプローブであって、当該プローブが、
前記対象者の関心のある領域の中に音響放射を伝えるための少なくとも１の音響ポートと、前記関心のある領域に向けて入射光を伝えるための少なくとも１の光出力ポートと、前記対象者から戻る光を受けるための少なくとも１の光入力ポートとを具えるモニタリングアッセンブリと、
放射素子によって形成されるワイヤレスリンク及び前記放射素子によって送信される信号をエンコードするよう構成される論理制御器を具える少なくとも１の信号品質検出アッセンブリを具え、これによって、前記モニタリングアッセンブリの作動を制御し得る少なくとも１の制御機構と、
を具えることを特徴とするプローブ。
【請求項２】
請求項１に記載のプローブにおいて、
前記プローブアッセンブリ及び前記対象者間の結合状態を制御するよう構成される少なくとも１の近接検出アッセンブリを具えることを特徴とするプローブ。
【請求項３】
請求項１又は２に記載のプローブにおいて、
前記放射素子が光学部材を具えており、前記ワイヤレスリンクが光リンクを具えることを特徴とするプローブ。
【請求項４】
請求項３に記載のプローブにおいて、
前記制御機構が、前記光学部材の作動を前記関心のある領域に向けて前記入射光を伝えるための前記少なくとも１の光出力ポートの作動と同期させるよう構成されることを特徴とするプローブ。
【請求項５】
請求項４に記載のプローブにおいて、
前記制御機構が、
（ａ）光が前記少なくとも１の出力ポートから伝わっていないことを検出すると前記論理制御器を通して前記光学部材の作動を開始させるよう構成されること、
（ｂ）前記少なくとも１の光出力ポートを通して伝わる符号化された信号を検出すると前記論理制御器を通して前記光学部材の作動を開始させるよう構成されること、
のうちの一方の構成を有することを特徴とするプローブ。
【請求項６】
請求項１乃至５のいずれか一項に記載のプローブにおいて、
第１の可撓性部分、及び前記モニタリングアッセンブリが取り付けられる第２の部分を具えており、
前記対象者に前記プローブアッセンブリを押し付けることで前記可撓性部分が変形し、これにより、前記モニタリングアッセンブリと近接検出アッセンブリによって検出可能な前記対象者との間の距離を縮めることを特徴とするプローブ。
【請求項７】
請求項２乃至６のいずれか一項に記載のプローブにおいて、前記近接検出アッセンブリが、磁気検出アッセンブリを具えることを特徴とするプローブ。
【請求項８】
請求項２に記載のプローブにおいて、
第１の可撓性部分、及び前記モニタリングアッセンブリが取り付けられる第２の部分を具えており、前記対象者に前記プローブアッセンブリを押し付けることで前記可撓性部分が変形し、これにより、前記モニタリングアッセンブリと前記近接検出アッセンブリによって検出可能な前記対象者との間の距離を縮め、
前記近接検出アッセンブリが、前記第１の可撓性部分によって担持された磁石及び前記第２の部分に配置された磁気センサを具える磁気検出アッセンブリを具えており、
前記磁気センサが、前記磁気センサの近くに検出領域を規定し、磁場が前記磁気センサの前記検出領域と重なる場合に前記磁石の磁場を検出するよう構成されることを特徴とするプローブ。
【請求項９】
請求項７に記載のプローブにおいて、
前記近接検出アッセンブリが、さらに、前記磁気検出アッセンブリと比較して同一又は異なる型の追加の検出アッセンブリであって、前記磁気検出アッセンブリから独立して作動可能な追加の検出アッセンブリを具えることを特徴とするプローブ。
【請求項１０】
請求項９に記載のプローブにおいて、前記追加の検出アッセンブリが、機械的アッセンブリであることを特徴とするプローブ。
【請求項１１】
請求項８に記載のプローブにおいて、
前記近接検出アッセンブリが、さらに、前記磁気検出アッセンブリから独立して作動可能な機械的検出アッセンブリを具えており、
前記機械的アッセンブリが、前記可撓性部分に配置されたスイッチを具えており、前記対象物に向けて前記プローブアッセンブリを押し付けることにより前記可撓性部分を変形させ、これにより、前記スイッチを作動させて前記モニタリングアッセンブリが作動し得ることを特徴とするプローブ。
【請求項１２】
請求項６乃至１１のいずれか一項に記載のプローブにおいて、
（ａ）前記第１及び第２の部分が、互いに取り外し可能に取り付け可能であること、
（ｂ）前記可撓性部分が、プローブ−対象者接着媒体に付随するプローブ−対象者接着ユニットとして構成されること、
のうちの少なくとも一方の構成を有することを特徴とするプローブ。
【請求項１３】
請求項６乃至１２のいずれか一項に記載のプローブにおいて、
（ｉ）前記放射素子が、前記第１の可撓性部分によって担持されていること、
（ｉｉ）前記放射素子が、前記モニタリングアッセンブリの１又はそれ以上の別のパーツに、又は外部の制御ユニットに、前記信号を無線送信するよう構成されていること、
のうちの一方の構成を有することを特徴とするプローブ。
【請求項１４】
請求項１３に記載のプローブにおいて、前記信号が、前記可撓性部分の識別のためのシリアル番号、前記可撓性部分が認証された部分であることを認証するための認証信号、前記プローブアッセンブリの作動開始からの時間に関するカウンタインジケータ、前記第１及び第２の部分間の結合の程度を示す信号、前記プローブアッセンブリ及び前記対象物間の結合の程度を示す信号、のうちの１又はそれ以上を具える情報を示すことを特徴とするプローブ。
【請求項１５】
請求項１乃至１４のいずれか一項に記載のプローブにおいて、
前記関心のある領域に向けて伝わる前記入射光を発生させるための前記光出力ポートに結合された光源と、
前記光源に付随しヒートシンク構造を具える機械的支持部とを具えることを特徴とするプローブ。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
自律神経系（以下、「ＡＮＳ」）の一部分の個別化されたモデルを取得する方法において、
身体の一部分からデータを取得するステップと、
取得したデータからＡＮＳに関係するデータを抽出するステップと、
前記抽出したデータを複数のモデルのうちの１つとマッチングするステップと、
前記個別化されたモデルを得るために、前記抽出したデータに基づいて前記マッチングしたモデルを修正するステップと、
をプロセッサが実行することを特徴とする方法。
【請求項２】
請求項１に記載の方法において、前記取得するステップが、放射線放出データを取得するステップを含むことを特徴とする方法。
【請求項３】
請求項２に記載の方法において、前記抽出するステップが、臓器のモデルであって、前記臓器について前記モデルが取得されるモデル及びＡＮＳの構成要素の予想される時間的挙動の一方又は両方に基づきデータを抽出するステップを含むことを特徴とする方法。
【請求項４】
請求項１に記載の方法において、前記取得するステップが、前記ＡＮＳの刺激に合わせて変更または実行されることを特徴とする方法。
【請求項５】
請求項１に記載の方法において、前記取得するステップが、画像データを取得するステップと、前記取得した画像データから画像を再構成するステップと、前記画像をセグメンテーションするステップとを含むことを特徴とする方法。
【請求項６】
請求項１乃至５の何れか１項に記載の方法において、ＡＮＳ構成要素の挙動のモデリングとＡＮＳ構成要素間の関係のモデリングとの一方又は両方のために前記抽出されたデータを使用するステップを含むことを特徴とする方法。
【請求項７】
請求項１に記載の方法において、前記個別化されたモデルの少なくとも一部に対応する視覚的マーカーを含むように表示をレンダリングするステップを更に含むことを特徴とする方法。
【請求項８】
請求項７に記載の方法において、前記レンダリングするステップが、前記モデルに関連する臓器の解剖学的画像と共に且つ前記臓器の動的運動に伴いレンダリングするステップを含むことを特徴とする方法。
【請求項９】
請求項７又は８に記載の方法において、前記レンダリングするステップが、ＡＮＳ及び／又は臓器挙動に対するトリガー及び効果をレンダリングするステップを含むことを特徴とする方法。
【請求項１０】
請求項７又は８に記載の方法において、前記レンダリングするステップが、電気的データを含むさらなる非ＡＮＳリアルタイムデータと共にレンダリングするステップを含むことを特徴とする方法。
【請求項１１】
請求項７又は８に記載の方法において、前記レンダリングするステップが、モデルを修正する影響を計算するステップと、前記効果をレンダリングするステップとを含むことを特徴とする方法。
【請求項１２】
請求項１に記載の方法において、前記個別化されたモデルは、臓器又はその一部分に関連する複数の神経節を含むＡＮＳの一部分のモデルであることを特徴とする方法。
【請求項１３】
請求項１２に記載の方法において、前記モデルが前記臓器の少なくとも一部分の機能性を含むことを特徴とする方法。
【請求項１４】
プロセッサによって実行されたときに、請求項１乃至１３のいずれか１項に記載の方法を実現する制御命令を含むことを特徴とするコンピュータプログラム。
【請求項１５】
請求弧１４に記載のコンピュータプログラムを格納した非一時的データ保存媒体。
【請求項１６】
自律神経系（以下、「ＡＮＳ」）の一部分の個別化されたモデルを取得するシステムにおいて、
身体の一部分からデータを取得するモジュールと、
取得したデータからＡＮＳに関係するデータを抽出するモジュールと、
前記抽出したデータを複数のモデルのうちの１つとマッチングするモジュールと、
前記個別化されたモデルを得るために、前記抽出したデータに基づいて前記マッチングしたモデルを修正するモジュールと、
を含むことを特徴とするシステム。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
以下を備えているエネルギー送達デバイス：
流体を通すルーメンを画定する細長い部材と、
前記ルーメンと連通する開口部を画定する細長い部材の遠位面と、
前記遠位面は、部分的に開口部を包囲する少なくとも一つの電気的に露出した導電部と、開口部の壁から遠位面の外周部に向かって半径方向に延びる少なくとも一つの電気的な絶縁部とを含み、
前記遠位面は、これにより前記電気的に露出した導電部を介したエネルギー送達の際に、塞栓の生成を回避するように構成されているものである。
【請求項２】
細長い部材が、導電性を有しかつ少なくとも部分的に電気絶縁材料で覆われた管状部材を含む請求項１に記載のエネルギー送達デバイス。
【請求項３】
遠位面の電気的な絶縁部が、ポリマー絶縁体及びセラミックからなる群から選択される材料を含む請求項１に記載のエネルギー送達デバイス。
【請求項４】
遠位面が傾斜している請求項２に記載のエネルギー送達デバイス。
【請求項５】
遠位面の近位部分が絶縁されている請求項４に記載のエネルギー送達デバイス。
【請求項６】
遠位面の遠位部分が、少なくとも部分的に電極を画定するために電気的に露出している請求項５に記載のエネルギー送達デバイス。
【請求項７】
遠位面の遠位部分が実質的に丸みを帯びている請求項６に記載のエネルギー送達デバイス。
【請求項８】
電極の遠位表面が、略Ｃ字形状および略半円形状からなる群から選択される形状を画定する請求項６に記載のエネルギー送達デバイス。
【請求項９】
管状部材がステンレス鋼を含む請求項２に記載のエネルギー送達デバイス。
【請求項１０】
少なくとも一つの電気的に露出した導電部および少なくとも一つの電気的な絶縁部が、エネルギーを遠位面に送達する際、組織へのスリット状またはＣ字形の穿刺を作成するように構成されている請求項２に記載のエネルギー送達デバイス。
【請求項１１】
細長い部材が遠位面の近位部分に切り取られた部分を有し、前記細長い部材の切り取られた部分が遠位面の近位部分を絶縁するための電気絶縁材料を含んでいる請求項１に記載のエネルギー送達デバイス。
【請求項１２】
細長い部材の近位端に連結されたハンドルを更に含み、前記ハンドルが電気外科発電機に連結可能な電気コネクタを含む請求項１に記載のエネルギー送達デバイス。
【請求項１３】
細長い部材が少なくとも部分的に電気絶縁材料で覆われた導電性の管状部材を含み、ハンドルが電気コネクタから電気エネルギーを細長部材に送達するためのワイヤを含む請求項１２のエネルギー送達デバイス。
【請求項１４】
組織へのスリット状またはＣ字形の穿刺を作成するために用いられる請求項１から請求項１３のいずれか１項に記載のエネルギー送達デバイスの使用。
【手続補正２】
【補正対象書類名】明細書
【補正対象項目名】発明の名称
【補正方法】変更
【補正の内容】
【発明の名称】エネルギー送達デバイスおよびその使用
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
対象の臓器組織のＭＲ緩和時間測定データを処理するための方法であって：
ａ）対象の臓器組織の細胞外液についての緩和時間測定データの測定値を取得すること；
ｂ）前記臓器組織の鉄分含有量を決定すること；
ｃ）前記の決定された鉄分含有量について前記対象の臓器組織の細胞外液についての測定値をシミュレーションすること；
ｄ）段階（ａ）の前記対象の臓器組織の細胞外液についての前記測定値を段階（ｃ）の前記対象の臓器組織の細胞外液についての前記シミュレーション測定値と比較すること；および
ｅ）前記臓器組織についての正常鉄分含有量に基づき前記対象の臓器組織の細胞外液の数値を前記の比較から決定すること、を含む前記方法。
【請求項２】
前記比較から細胞外液の補正測定値を決定することをさらに含む、請求項１に記載の方法。
【請求項３】
前記緩和時間測定データが磁気共鳴（ＭＲ）スキャナを含む医用撮像デバイスの使用によって取得されかつ前記デバイスが前記臓器組織の組織内の１つ以上の特徴的緩和時間を測定するために用いられる、請求項１又は２に記載の方法。
【請求項４】
前記臓器組織がＴ１マッピングを用いて細胞外液について測定されかつ前記臓器組織がＴ２マッピング、Ｔ２＊マッピング、磁気共鳴スペクトロスコピーのうち１つ以上を用いて、または１つ以上の血液バイオマーカーを測定して鉄分含有量について測定される、請求項１から３のうちいずれか１つに記載の方法。
【請求項５】
前記Ｔ１マッピングが改変ルックロッカー反転（ＭＯＬＬＩ）回復パルスシーケンスまたは短縮改変ルックロッカー反転回復（Ｓｈ−ＭＯＬＬＩ）シーケンスを用いて実施される、請求項１から４のうちいずれか１つに記載の方法。
【請求項６】
段階（ｂ）の前記測定が前記臓器組織のＴ１マップを取得することを含み、段階（ｄ）の前記シミュレーションが段階（ｃ）において決定された前記鉄分含有量についての前記臓器組織の具体的な細胞外液分画に関連する予測Ｔ１マップ測定値を決定することを含み、かつ段階（ｅ）の前記比較が前記Ｔ１測定値を前記予測Ｔ１測定値と比較し、かつ前記臓器組織についての正常鉄分含有量に基づいて補正されたＴ１を決定することを含む、請求項１から５のうちいずれか１つに記載の方法。
【請求項７】
前記シミュレーションが：
(i) 前記臓器組織の細胞外液の多様な分画についてのマルチコンパートメントモデリングにおける前記臓器組織の鉄分含有量の細胞内および細胞外緩和時間の両者に対する影響；及び/又は
(ii) 鉄分含有量の前記の細胞内および細胞外緩和時間の両者に対する影響、および前記臓器組織の予測測定値を撮像シーケンスのシミュレーションと組み合わせて細胞外液の多様な分画についてシミュレーションすること；及び/又は
(iii) 細胞内液コンパートメントと細胞外液コンパートメントの間の交換を有するかまたは有さない、かつ、磁化転移効果を有するかまたは有さない、ブロッホ式シミュレーション、
を包含する、請求項１から６のうちいずれか１つに記載の方法。
【請求項８】
前記臓器組織が肝臓、脾臓または心臓、好ましくは肝臓である、請求項１から７のうちいずれか１つに記載の方法。
【請求項９】
システムであって：
少なくとも１つの演算デバイス；
前記の少なくとも１つの演算デバイスにおいて実行可能な少なくとも１つのアプリケーションであって、前記の少なくとも１つのアプリケーションが請求項１から８のうちいずれか１つに記載の方法を実施するためのロジックを含む、前記システム。
【請求項１０】
請求項１から８のうちいずれか１つに記載の方法の段階を遂行するようプロセッサを構成するための命令を含むソフトウェアを担持するキャリア。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
流体ポンプアセンブリと、
液体の供給源と、
気体の供給源と、
マイクロコントローラと、
を含み、
前記流体ポンプアセンブリは、一連の気体注入流体パルスがノズル出口アセンブリからユーザの歯に向けられる当該ノズル出口アセンブリの少なくとも１つのオリフィスを介して前記一連の気体注入流体パルスの出力を生成するために、前記液体の供給源及び前記気体の供給源と動作的に連通し、前記マイクロコントローラは、０．００１秒〜０．５秒の範囲内のパルス幅、０．１ニュートン〜１０ニュートンのパルス高、０．５ミリ秒〜２５０ミリ秒の立上り／立下り時間範囲、２Ｈｚ〜２０Ｈｚの範囲内の繰り返しレート、及び体積対体積で液体に対し気体が４０％〜９５％の気体／液体の混合範囲を有する、歯のバイオフィルムに対して効果的な前記一連の気体注入流体パルスの個々のパルスを生成するために、前記流体ポンプアセンブリの動作を制御するようにプログラムされる、
口腔ケア器具。
【請求項２】
前記一連の気体注入流体パルスは、スプレーの形式のパルス状液体を更に含む、請求項１に記載の口腔ケア器具。
【請求項３】
前記ノズル出口アセンブリは、５°〜１５０°の範囲内のパルスファン角度を有する、請求項２に記載の口腔ケア器具。
【請求項４】
前記一連の気体注入流体パルスは、０．００１秒〜０．５秒の送り出し期間で、０．０５〜０．１７の範囲内にある１パルスにつき０．１５ｍｌの流量を有するパルス状液体を更に含む、請求項１に記載の口腔ケア器具。
【請求項５】
前記一連の気体注入流体パルスは、０．００２ｍｍ〜３ｍｍの範囲内の大きさを有するパルス状液体の液滴を更に含む、請求項１に記載の口腔ケア器具。
【手続補正２】
【補正対象書類名】明細書
【補正対象項目名】００２１
【補正方法】変更
【補正の内容】
【００２１】
図７及び図８では、ノズル出口部材８０で終点となる細長いノズル部分が、基部９１と先端部９２とを含んでより詳細に示される。先端部９２の中心に出口開口９４があり、器具がユーザによって口内に適切に配置されたときに、出口開口９４を通って高速の液滴が清掃のためにユーザの歯に送達される。ノズル出口部材は、通常、歯間領域に対する誘導機能を提供する。先端部９２は、取り囲む中間部９６の上に約１ｍｍ〜３ｍｍだけ延びる。いくつかの場合では、ノズル出口部材は、約２ｍｍの外径でわずかにテーパされる。中間溝部９６は、出口部材９４から遠ざかってわずかにテーパされる。中間部分９６は、先端部９２のためのリップを規定する湾曲した上面を有する境界部分９８で終点となる。こうした構造の更なる詳細及び利点は、本発明の譲受人によって所有される米国特許出願第６１／２８９，５８９号に記載されており、この出願の内容はこれによって参照により組み込まれる。
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
断熱性ガラスユニットのスペーサーフレーム上に対するシートのマウント方法であって、方法が、
シートが任意の無作為のサイズである、マウントされるあるシートのカッティングテーブル上の位置及び方向を特定すること、
あるシートの特定された位置及び方向に対応する位置にシートピックアップ装置を移動させること、
カッティングテーブルからあるシートの角を持ち上げること、
カッティングテーブルから該シートの端部を持ち上げること、
リフティング表面に隣接して置かれるように、カッティングテーブルからシートの残りの部分を持ち上げること、
リフティング表面の上にシートを置くことができるように、シートピックアップ装置を反転させること、
シートを移動させてリフティング表面上のフェンスに近接させること、
シートピックアップ装置を回転させてシートをフレームに整合させること、及び
フレームにシートを取り付けること
を含む方法。
【請求項２】
シートが、柔軟なフィルムポリマーシートである、請求項１記載の方法。
【請求項３】
シートが、ガラスシートである、請求項１記載の方法。
【請求項４】
あるシートの位置が、あるシートの少なくとも１つの角の場所により特定される、請求項１記載の方法。
【請求項５】
あるシートの方向が、少なくとも１つの角からの長手方向により特定される、請求項４記載の方法。
【請求項６】
あるシートの角を持ち上げることが、機械的な吸引を用いる、請求項１記載の方法。
【請求項７】
あるシートの端部が、シートの角に近接する、請求項１記載の方法。
【請求項８】
シートピックアップ装置が、ピックアップ表面において一連のチャンネルを含むプラテンを含み、チャンネルが一方の端部において真空マニホールドと接続する、請求項１記載の方法。
【請求項９】
シートを移動させてリフティング表面上のフェンスに近接させることが、その上にシートを有するプラテンを、１つ以上の方向に傾けることにより実施される、請求項１記載の方法。
【請求項１０】
シートピックアップ装置が、真空源に接続した複数のチャンネルを備える実質的に平面のプラテンを有するガントリーを含む、請求項１記載の方法。
【請求項１１】
ピックアップ表面上に置くようにシートを配置することが、ピックアップ表面を傾けることを含む、請求項１０記載の方法。
【請求項１２】
シートを移動させてフェンスに近接させることが、ピックアップ表面を１つ以上の方向に傾けることにより実施される、請求項１１記載の方法。
【請求項１３】
シートを移動させてフェンスに近接させることが、圧縮空気のフローを含むクッション上のシートを固定することにより補助される、請求項１記載の方法。
【請求項１４】
更に、ピックアップ表面上のシートの位置及び方向を決定するアクティブアライメントメカニズムを含む、請求項１記載の方法。
【請求項１５】
アームと、
アームの端部上に取り付けられた真空プラテンであって、
機械的吸引カップ、
実質的に平面の真空ピックアップ表面、及び
フェンスエレメントを含む真空プラテンとを含む
シートピックアップ装置であって、
機械的吸引カップがカッティングテーブルからシートの角を持ち上げ、
実質的に平面の真空ピックアップ表面において、真空がカッティングテーブルからシートの残りの部分を持ち上げ、
真空プラテンが反転して真空が解放され、シートは重力により実質的に平面のピックアップ表面上に残ったままであり、
並びに真空プラテンを傾けてシートを移動させてフェンスに近接させる
シートピックアップ装置。
【請求項１６】
実質的に平面の真空ピックアップ表面が、複数の真空チャンネルを含む、請求項１５記載の装置。
【請求項１７】
複数の真空チャンネルが、真空透過性拡散パッドによりカバーされている、請求項１６記載の装置。
【請求項１８】
複数の真空チャンネル中の真空チャンネルが、独立に取扱可能である、請求項１６記載の装置。
【請求項１９】
シートが、柔軟なフィルムポリマーシートである、請求項１５記載の装置。
【請求項２０】
材料の薄いシートのピックアップ方法であって、方法が、
アームと、
アームの端部上に取り付けられた真空プラテンであって、
機械的吸引カップ、
実質的に平面の真空ピックアップ表面、及び
フェンスエレメントを含む
真空プラテンとを含む
シートピックアップ装置を提供すること、
機械的吸引カップがカッティングテーブルからシートの角を持ち上げること、
実質的に平面の真空ピックアップ表面において、真空がカッティングテーブルからシートの残りの部分を持ち上げること、
真空プラテンを反転させること、
真空を解放すること、並びに
真空プラテンを傾けてシートを移動させてフェンスに近接させること
を含む方法。
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
人を運ぶための三輪車（１）であって、
前記三輪車（１）の実質的に長手方向軸に配置された前輪（２）と、
前記三輪車（１）の前記長手方向軸に対して両側に、横方向に配置された２つの後輪（３）と、
前記車輪（２，３）に接続するフレームであって、前記三輪車（１）の実質的に長手方向に位置する傾斜軸（１９）を中心にして横方向に回動可能な回動部（４ｂ）を有するフレーム（４）と、
前記フレーム（４）の一部であるか、又は前記フレーム（４）に取り付けられたフットレスト（５）と、
前記フレーム（４）の一部であるか、又は前記フレーム（４）に取り付けられた第２ユーザサポート（６）と、
を備え、
前記フレーム（４）は、前記３つの車輪（２，３）の支持平面に対して実質的に不動の部分（４ａ）を備え、
前記フレーム（４）の前記回動部（４ｂ）は、前記実質的に不動の部分（４ａ）に対して回動可能であり、前記三輪車（１）のフロントに配置され、前記前輪（２）に接続し、、前記三輪車（１）のフットレスト（５）を有し、
前記フレーム（４）の前記実質的に不動の部分（４ａ）は、前記三輪車（１）のリアに配置され、前記後輪（３）に接続し、
前記フレーム（４）の前記実質的に不動の部分（４ａ）は、坐骨サポート（６）として設計された、前記三輪車（１）の第２サポート（６）を備える、
三輪車（１）。
【請求項２】
前記傾斜軸（１９）は、前記三輪車（１）の前記長手方向軸を含み且つ前記３つの車輪（２，３）の前記支持平面に実質的に垂直である平面に配置されており、この軸（１９）は、前記３つの車輪（２，３）の前記支持平面に対して１°〜１０°傾斜しており、その傾斜は前記三輪車（１）に負荷が加わったときに変化する、請求項１に記載の三輪車（１）。
【請求項３】
前記傾斜軸は、前記３つの車輪（２，３）の前記支持平面に対して約６°傾斜している、請求項２に記載の三輪車（１）。
【請求項４】
前記傾斜軸（１９）を中心にして回動する前記回動部（４ｂ）の最大傾斜（α）は、約１５°である、請求項１〜３のいずれか一項に記載の三輪車（１）。
【請求項５】
前記フレーム（４）の前記回動部（４ｂ）を初期位置に戻すため、前記回動部（４ｂ）をセンタリングする手段（７）、
を備える、請求項１〜４のいずれか一項に記載の三輪車（１）。
【請求項６】
前記回動部（４ｂ）をセンタリングする前記手段（７）は、シリンダー（７）を備える、請求項５に記載の三輪車（１）。
【請求項７】
前記シリンダー（７）の圧力は、調整可能である、請求項６に記載の三輪車（１）。
【請求項８】
ユーザの足を前記３つの車輪（２，３）の前記支持平面に対して傾けて置くことができるように前記フットレスト（５）が配置されている、請求項１〜７のいずれか一項に記載の三輪車（１）。
【請求項９】
前記フットレスト（５）は、ユーザの足を置くための１つ又は複数のバー（５）の形態で設けられている、請求項８に記載の三輪車（１）。
【請求項１０】
前記坐骨サポート（６）は、前記三輪車の実質的に前記長手方向軸を有する面に配置された傾斜軸であって前記３つの車輪（２，３）の前記支持平面に対して約６０°〜９０°傾斜している傾斜軸の周りを、前記フレーム（４）に対して回動することができる、請求項１〜９のいずれか一項に記載の三輪車（１）。
【請求項１１】
前記傾斜軸の周りの前記坐骨サポート（６）の最大傾斜（β）は、約１５°である、請求項１０に記載の三輪車（１）。
【請求項１２】
前記坐骨サポート（６）を初期位置に戻すため、前記坐骨サポート（６）をセンタリングする手段（８）を備える、請求項１０または１１に記載の三輪車（１）。
【請求項１３】
前記坐骨サポート（６）をセンタリングする前記手段（８）は、トーションばね（８）を備える、請求項１２に記載の三輪車（１）。
【請求項１４】
前記坐骨サポート（６）は、高さ方向に調整可能に前記フレーム（４）に取り付けられる、請求項１〜１３のいずれか一項に記載の三輪車（１）。
【請求項１５】
前記三輪車は、ユーザを横方向にサポートするために、実質的に前記坐骨サポート（６）の両側に且つ前記坐骨サポート（６）の一部の上方に取り付けられた横方向サポート（９）を備える、請求項１〜１４のいずれか一項に記載の三輪車（１）。
【請求項１６】
前記横方向サポート（９）は、前記坐骨サポート（６）に対して横方向に調整可能である、請求項１５に記載の三輪車（１）。
【請求項１７】
前記横方向サポート（９）は、前記三輪車（１）の前記長手方向軸に実質的に垂直であり且つ前記３つの車輪（２，３）の前記支持平面に実質的に平行である傾斜軸を中心にして、前記坐骨サポート（６）に対して回動可能である、請求項１５または１６に記載の三輪車（１）。
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
固体フィブリノーゲンを含む第一のフィルム層であって、第一の組成物を第一の時間間隔にわたって処理して、該第一のフィルム層の第一の特性を生み出すことにより形成される、前記第一のフィルム層；及び
該第一のフィルム層と接着され、かつ固体フィブリノーゲンを含む第二のフィルム層であって、第二の組成物を第二の時間間隔にわたって処理して、該第二のフィルム層の第二の特性を生み出すことにより形成される、前記第二のフィルム層
を含み、該第二の特性が、該第一の特性とは異なる、器具。
【請求項２】
前記第一のフィルム層が第一の治療剤をさらに含み、前記第一の特性が該第一の治療剤についての第一の放出プロファイルである、請求項1記載の器具。
【請求項３】
前記第二のフィルム層が第二の治療剤をさらに含み、前記第二の特性が該第二の治療剤についての第二の放出プロファイルである、請求項2記載の器具。
【請求項４】
前記第一の治療剤又は前記第二の治療剤又はこれらの両方が、1以上の抗炎症剤、抗アレルゲン剤、抗菌剤、抗ウイルス剤、抗コリン剤、抗ヒスタミン剤、抗血栓症剤、抗瘢痕剤、抗増殖剤、抗高血圧剤、抗再狭窄剤、回復促進剤、ビタミン、タンパク質、遺伝子、成長因子、細胞、RNA、又はDNAを含む、請求項3記載の器具。
【請求項５】
前記第一の治療剤が、前記第二の治療剤とは異なる、請求項3記載の器具。
【請求項６】
前記第一の特性が、前記第一のフィルム層の第一の粘着性であり、前記第二の特性が、前記第二のフィルム層の第二の粘着性である、請求項1記載の器具。
【請求項７】
前記第一の特性が、前記第一のフィルム層の第一の溶解性であり、前記第二の特性が、前記第二のフィルム層の第二の溶解性である、請求項1記載の器具。
【請求項８】
前記器具が、水分への曝露に際し、フィブリンのパッチを形成するように設計される、請求項1記載の器具。
【請求項９】
前記第一の組成物の処理が、該第一の組成物を乾燥させることを含む、請求項1記載の器具。
【請求項１０】
前記第一の時間間隔が、前記第二の時間間隔と異なっている、請求項1記載の器具。
【請求項１１】
前記第一のフィルム層又は前記第二のフィルム層又はこれらの両方が、カルシウム塩、前記固体フィブリノーゲンに混合された固体トロンビン、可塑剤、器具を放射線不透過性にする造影剤、又はこれらの任意の組み合わせをさらに含む、請求項1記載の器具。
【請求項１２】
前記第一のフィルム層又は前記第二のフィルム層又はこれらの両方が、保護層により被覆されている、請求項1記載の器具。
【請求項１３】
前記第一のフィルム層及び前記第二のフィルム層の間に配置された中間層をさらに含み、該中間層が、分解して、該第一のフィルム層及び該第二のフィルム層の間に貯蔵空間、孔、間隙、又は通路を作り出すように設計される、請求項1記載の器具。
【請求項１４】
前記第一のフィルム層が、前記第二のフィルム層が形成される前に、前記第二の組成物と接着される、請求項1記載の器具。
【請求項１５】
前記第一の特性が、表面突起、穿孔、ミクロ構造、ナノ構造、隆起、くぼみ、又はそれらの任意の組み合わせを含む前記第一のフィルム層の第一の表面粗度又はテクスチャー特性であり、かつ前記第二の特性が、表面突起、穿孔、ミクロ構造、ナノ構造、隆起、くぼみ、又はそれらの任意の組み合わせを含む前記第二のフィルム層の第二の表面粗度又はテクスチャー特性である、請求項1記載の器具。
【請求項１６】
器具を製造する方法であって：
固体フィブリノーゲン及び第一の量の非水性溶媒を含む第一の組成物を、該第一の量の非水性溶媒を実質的に除去するのに必要な第一の時間間隔にわたって処理することにより、該第一の組成物から、第一のフィルム層を形成させること；及び
固体フィブリノーゲン及び第二の量の非水性溶媒を含む第二の組成物を、該第二の量の非水性溶媒を実質的に除去するのに必要な第二の時間間隔にわたって処理することにより、該第二の組成物から形成された第二のフィルム層を、該第一のフィルム層に接着させること；
を含み、該第一の時間間隔が、該第二の時間間隔と異なっている、前記方法。
【請求項１７】
前記第二のフィルム層を前記第一のフィルム層に接着させることが、該第一のフィルム層及び該第二のフィルム層の間に配置された中間層を用いて、該第二のフィルム層を該第一のフィルム層に接着させることを含む、請求項16記載の方法。
【請求項１８】
前記非水性溶媒の第一の量が、前記非水性溶媒の第二の量とは異なる点を除いて、前記第一の組成物が、前記第二の組成物と実質的に同一である、請求項16記載の方法。
【手続補正書】
【提出日】平成29年2月21日(2017.2.21)
【手続補正１】
【補正対象書類名】明細書
【補正対象項目名】０００２
【補正方法】変更
【補正の内容】
【０００２】
現在、市場では複数の医薬品が経口投与の形で提供されており、その経口薬形はホルダーやハンドルを備え、また当該ホルダーやハンドルと共に使用されている。このような経口医薬品の使用者は、パッケージから当該経口医薬品を取り出し、それを放置する可能性があるが、当該経口医薬品が露出し、また例えば小児など他の人にアクセス可能な状態となり得る。このような医薬品に安全機器を提供することは、不注意で他の人、特に子供が前記薬剤にアクセスするのを防止するのに有用であろう。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第２，０１７，７８３号明細書
（特許文献２）  米国特許第２，４６９，３９９号明細書
（特許文献３）  米国特許第５，２３４，９５７号明細書
（特許文献４）  米国特許第７，７４４，５５８号明細書
（特許文献５）  米国特許出願公開第２００９／０１４２７２７号明細書
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
円形エラストマー要素と、
該円形エラストマー要素に連結されるスリーブと、
前記円形エラストマー要素の反対側で前記スリーブに連結されるスリーブマウントと、
該スリーブマウントに取り外し可能に取り付けられる外部ハブと、
前記スリーブマウントと前記外部ハブとの間に捕捉される内部ハブとを含み、該内部ハブは、カニューレポートを含む、
回転補助ポート装置。
【請求項２】
前記内部ハブは、少なくとも１つの補助カニューレポートを更に含む、請求項１に記載の回転補助ポート装置。
【請求項３】
前記内部ハブと前記スリーブマウントとの間にシールを更に含む、請求項１に記載の回転補助ポート装置。
【請求項４】
前記カニューレポート内にシールを更に含む、請求項１に記載の回転補助ポート装置。
【請求項５】
前記少なくとも１つの補助カニューレポートの各々の内にシールインサートを更に含む、請求項２に記載の回転補助ポート装置。
【請求項６】
前記カニューレポートの周りの前記少なくとも１つの補助カニューレポートの回転のために用いるよう前記内部ハブに形成される指グリップを更に含む、請求項１に記載の回転補助ポート装置。
【請求項７】
前記カニューレポートで前記内部ハブに回転可能に取り付けられるカニューレクランプを更に含み、該カニューレクランプは、前記カニューレポート内に挿入されるカニューレの周りを締め付ける、請求項１に記載の回転補助ポート装置。
【請求項８】
前記外部ハブは、前記スリーブマウントに取り付けられ、解放機構を用いて固定される、請求項１に記載の回転補助ポート装置。
【請求項９】
前記外部ハブは、前記スリーブマウントに形成されるネジ山と係合する、請求項１に記載の回転補助ポート装置。
【請求項１０】
各創傷保護具が、円形エラストマー要素と、該円形エラストマー要素に連結されるスリーブと、前記円形エラストマー要素の反対側で前記スリーブに連結されるスリーブマウントとを含む、１つ又はそれよりも多くの創傷保護具と、
前記１つ又はそれよりも多くの創傷保護具の前記スリーブマウントに取り付け可能な外部ハブと、
該外部ハブと前記スリーブマウントとの間に捕捉可能な内部ハブとを含み、
前記１つ又はそれよりも多くの創傷保護具は、体壁の厚さの変動を許容する、
回転補助ポートキット。
【請求項１１】
回転リップシールと、
１つ又はそれよりも多くのシールインサートとを含み、該１つ又はそれよりも多くのシールインサートは、カニューレポートでカニューレの周りを封止するのを可能にする、
請求項１０に記載のキット。
【請求項１２】
１つ又はそれよりも多くの補助カニューレポートで異なる大きさの器具又はカニューレの周りを封止する１つ又はそれよりも多くのシールインサートを更に含む、請求項１１に記載のキット。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
外科用ステープラであって、
近位端部及び遠位端部を有すると共に前記近位端部と前記遠位端部との間に長手方向軸線を定める細長いシャフトを有し、
前記細長いシャフトの前記近位端部のところに設けられたハンドル組立体を有し、
前記ハンドル組立体によって作動可能な作動機構体を有し、前記作動機構体は、前記細長いシャフトの少なくとも一部分を貫通して延びる作動ビームを含み、
前記細長いシャフトの前記遠位端部のところに設けられたジョー組立体を有し、前記ジョー組立体は、
第１のクランプ面を備えた第１のジョーと、
第２のクランプ面を備えた第２のジョーと、
複数個のステープルと、を含み、
前記ジョー組立体は、前記第１のクランプ面が前記第２のクランプ面に隣接して位置する閉じ位置と、前記第２のクランプ面が前記第１のクランプ面に対して横方向に角度をなして延びる開き位置と、第１のクランプ面が前記第２のクランプ面に平行に延び且つ前記第２のクランプ面から間隔を置いて位置するステープル留め位置との間における前記作動ビームの長手方向運動によって作動可能である、外科用ステープラ。
【請求項２】
前記複数個のステープルは、前記第１のジョー内に配置されている、請求項１記載の外科用ステープラ。
【請求項３】
前記閉じ位置では、前記第１のクランプ面は、前記第２のクランプ面に接触する、請求項１又は２記載の外科用ステープラ。
【請求項４】
前記ジョー組立体は、前記細長いシャフトの前記近位端部に回動可能に結合された近位端部及び前記第２のジョーに回動可能に結合された遠位端部を有するリンクを更に含む、請求項１乃至３のうちいずれか一に記載の外科用ステープラ。
【請求項５】
前記作動ビームには第１の案内及び第２の案内が設けられ、
前記第１のジョーは、長手方向に延びる第１の案内スロットを有し、
前記リンクは、傾斜開放輪郭が形成された前記第２の案内スロットを有し、
前記第２のジョーは、長手方向に延びる第３の案内スロットを有し、
前記第１の案内は、前記第１の案内スロット内で摺動でき、前記第２の案内は、前記第２の案内スロット及び前記第３の案内スロット内で摺動でき、前記第２の案内を前記第２の案内スロットの前記傾斜開放輪郭上でこれに沿って遠位側に並進させると、前記リンクが回動して前記第１のジョーから遠ざけられ、それにより前記ジョー組立体の前記開き位置が定められる、請求項４記載の外科用ステープラ。
【請求項６】
前記リンクは、前記第１のジョーから遠ざかるよう回動的に付勢されている、請求項５記載の外科用ステープラ。
【請求項７】
前記第２のジョーは、前記第１のジョーに向かって回動的に付勢されている、請求項５又は６記載の外科用ステープラ。
【請求項８】
前記リンク及び前記第２のジョーは、前記第１のジョーに向かう前記第２のジョーの回動を制限するよう前記リンクに対する前記第２のジョーの回動運動を邪魔するよう構成されている、請求項５乃至７のうちいずれか一に記載の外科用ステープラ。
【請求項９】
前記第２のジョーは、前記第１のジョーから遠ざかるよう回動的に付勢されている、請求項５記載の外科用ステープラ。
【請求項１０】
前記第１のジョー及び前記第２のジョーは、前記第１のジョーから遠ざかる前記第２のジョーの回動運動を邪魔するよう構成されている、請求項５乃至９のうちいずれか一に記載の外科用ステープラ。
【請求項１１】
前記第２の案内を前記第３の案内スロット上で遠位側に並進させると、前記第２のジョーが回動して前記ステープル留め位置に至る、請求項５乃至１０のうちいずれか一に記載の外科用ステープラ。
【請求項１２】
前記作動ビームは、前記第１の案内が設けられた第１のアーム及び前記第２の案内が設けられた第２のアームを有し、前記第２のアームは、前記第１のアームに可撓的に連結されると共に前記第１のアームから遠ざかるよう付勢されている、請求項５乃至１１のうちいずれか一に記載の外科用ステープラ。
【請求項１３】
前記第３の案内スロットは、前記第２のアームの上面に隣接して設けられている、請求項５乃至１２のうちいずれか一に記載の外科用ステープラ。
【請求項１４】
前記作動ビームには第１の案内及び第２の案内が設けられ、
前記第１のジョーは、長手方向に延びる第１の案内スロットを有し、
前記第２のジョーは、前記第２のジョー内を延びる第２の案内スロットを有し、前記第２の案内スロットは、傾斜輪郭を備えた開放セグメント及び前記開放セグメントの遠位側に全体として長手方向に延びるステープル留めセグメントを有し、
前記第２のジョーは、前記第２のジョーが、前記閉じ位置と、前記ステープル留め位置との間で動くことができるよう前記細長いシャフトの前記遠位端部に摺動可能に結合され、
前記第２のジョーは、前記第２のジョーが、前記閉じ位置から前記開き位置まで回動可能であるよう前記細長いシャフトの前記遠位端部に回動可能に結合され、
前記第１の案内は、前記第１の案内スロット内で摺動可能であり、前記第２の案内は、前記第２の案内スロット内で摺動可能であり、前記第２の案内を前記第２の案内スロットの前記開放セグメントを通って遠位側に並進させると、前記第２のジョーが前記閉じ位置から前記開き位置まで摺動すると共に回動し、前記第２の案内を前記ステープル留めセグメントを通って前記遠位側に並進させると、前記第２のジョーは、前記ステープル留め位置に位置決めされる、請求項１乃至３のうちいずれか一に記載の外科用ステープラ。
【請求項１５】
前記第２のジョーは、前記第２のジョーが前記閉じ位置にある状態で、前記第１のクランプ面が前記第２のクランプ面に接触するよう前記細長いシャフトに摺動可能に結合されている、請求項１４記載の外科用ステープラ。
【請求項１６】
第２のジョーは、前記細長いシャフトの前記遠位端部に形成されたスロットを有する摺動ピボット継手のところで前記細長いシャフトに摺動可能に結合され、前記第２のジョーは、前記スロット内に回動的に且つ並進可能に設けられたピンを有する、請求項１４又は１５に記載の外科用ステープラ。
【請求項１７】
前記摺動ピボット継手の前記スロットは、前記ピンが前記第１の端部のところに配置されると前記第２のジョーの前記閉じ位置を定める第１の端部と、前記ピンが前記第２の端部のところに配置されると前記第２のジョーの前記開き位置及び前記ステープル留め位置を定める第２の端部とを有する、請求項１６記載の外科用ステープラ。
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
使い捨ての吸収性衣類の製造に使用される伸縮性吸収アセンブリであって、
吸収性の芯を備え、前記吸収性の芯は、
上部不織布層と、
１対の側縁と前記側縁から内側に離間した長手方向の中央線とを有するベース不織布層と、
それらの間に配置され、前記ベース層により支持される伸縮性構造であって、上部層とベース層に結合する複数の離間した伸縮性要素を含み、それにより前記上部層とベース層と共に複数の離間した溝と複数の離間したセルを形成し、前記セルが前記上部層と前記ベース層の間に形成されており、前記溝が前記上部層の上方に形成されている、伸縮性構造と、
を備え、
前記複数の溝の少なくとも幾つかに超吸収性ポリマー粒子が配置されている、伸縮性吸収アセンブリ。
【請求項２】
前記伸縮性構造の上を延伸する上部層をさらに備える、請求項１に記載の伸縮性吸収アセンブリ。
【請求項３】
前記上部層は前記溝内で前記超吸収性ポリマー粒子を密封するように構成されている、請求項２に記載の伸縮性吸収アセンブリ。
【請求項４】
前記超吸収性ポリマー粒子は前記複数のセルの少なくともいくつかに配置されている、請求項１に記載の伸縮性吸収アセンブリ。
【請求項５】
前記超吸収性ポリマー粒子は前記伸縮性要素により生成された前記セルに接着されている、請求項4に記載の伸縮性吸収アセンブリ。
【請求項６】
前記超吸収性ポリマー粒子は前記伸縮性要素により生成された前記セルに結合されている、請求項4に記載の伸縮性吸収アセンブリ。
【請求項７】
前記吸収性の芯に隣接する捕捉層をさらに備える、請求項１に記載の伸縮性吸収アセンブリ。
【請求項８】
捕捉層と前記吸収性の芯との間に分散層をさらに備える、請求項７に記載の伸縮性吸収アセンブリ。
【請求項９】
第１の幅広領域、幅狭領域及び第２の幅広領域をさらに備える、請求項１に記載の伸縮性吸収アセンブリ。
【請求項１０】
使い捨ての吸収性の芯に組み込まれるための伸縮性吸収芯アセンブリであって、
不織布の第１の材料層と、不織布の上部材料層と、複数の離間した伸縮性要素を含み、前記第１の材料層と前記上部材料層との間に支持される伸縮性構造とを備える伸縮性パネルを備え、
前記上部材料層は前記伸縮性構造の上に延伸し、前記伸縮性要素は、前記伸縮性パネルが複数の伸縮性帯を形成し、複数の溝が前記上部層の上方で且つ前記伸縮性パネルの外側に形成されるように、前記第1の層及び上部層に接着され、
超吸収性ポリマー粒子が前記上部層の上方の前記溝内に配置されている、伸縮性吸収芯アセンブリ。
【請求項１１】
前記伸縮性帯及び超吸収性ポリマー粒子が中に配置された前記溝に結合されている頂部層をさらに備える、請求項１０に記載の伸縮性吸収芯アセンブリ。
【請求項１２】
前記頂部層は前記溝を密封するように配置されている、請求項１１に記載の伸縮性吸収芯アセンブリ。
【請求項１３】
前記伸縮性要素は前記第１の層及び前記上部層に接着されている、請求項１０に記載の伸縮性吸収芯アセンブリ。
【請求項１４】
前記超吸収性ポリマー粒子は前記溝内に接着されている、請求項１０に記載の伸縮性吸収芯アセンブリ。
【請求項１５】
前記超吸収性ポリマー粒子は前記溝内に固定されている、請求項１０に記載の伸縮性吸収芯アセンブリ。
【請求項１６】
前記超吸収性ポリマー粒子は前記溝に結合されている、請求項１０に記載の伸縮性吸収芯アセンブリ。
【請求項１７】
セルが前記上部層の下に形成され、超吸収性ポリマー粒子が前記溝内及び複数の前記セル内に固定されている、請求項１０に記載の伸縮性吸収芯アセンブリ。
【請求項１８】
前記伸縮性パネルの下に配置された背面シートと、
前記伸縮性パネルの上に延伸する上部シートとをさらに備え、
前記伸縮性要素は互いに平行である、請求項１０に記載の伸縮性吸収芯アセンブリ。
【請求項１９】
前記上部シートは前記伸縮性パネルの上に延伸して前記溝を密封し、超吸収性ポリマー粒子は前記溝内に固定されている、請求項１８に記載の伸縮性吸収芯アセンブリ。
【請求項２０】
使い捨て吸収性物品であって、
背面シート、
上部シート、及び
前記上部シートと前記背面シートの間に配置されている伸縮性吸収芯アセンブリであって、前記配置が、前記物品の長手方向の中央線が、前記上部シート、前記背面シート、及び前記伸縮性吸収芯アセンブリを通じて延伸して、前記上部シート、前記背面シート、及び前記伸縮性吸収芯アセンブリが、前記使い捨て吸収性物品の中央本体を形成し、及び
前記伸縮性吸収芯アセンブリは、上部不織布層、１対の側縁と前記側縁から内側に離間して配置された長手方向の中心線とを有するベース不織布層、及び、前記上部層と前記ベース層との間に配置された伸縮性構造体により形成されており、
前記伸縮性構造体は、前記上部層と前記ベース層に結合する複数の離間した伸縮性要素を含んでおり、それにより、前記上部層と前記ベース層と共に、複数の離間した溝と複数の離間したセルを形成し、前記セルは前記上部層と前記ベース層の間に形成されかつ前記溝は上部層の上方に形成されており、そして
超吸収性ポリマー粒子が複数の溝の少なくともいくつかに配置されている、上記使い捨て吸収性物品。
【請求項２１】
前記セルが超吸収性ポリマー粒子を含む、請求項２０に記載の使い捨て吸収性物品。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
塞栓防止装置であって、
長尺の搬送ワイヤと、
前記長尺の搬送ワイヤに接続され、拡張形態と収縮形態とを有するフィルタと、
前記フィルタの先端に接続され、及び前記長尺の搬送ワイヤに対して、前記塞栓防止装置の基端部に対して独立してスライドするように構成された摺動接続部と、
前記フィルタに接続され、及び前記フィルタの基端に方向付けられた複数のストラットと、
前記複数のストラットに接続され、及び前記長尺の搬送ワイヤに対して動かない固定接続部と、及び
前記フィルタの先端であって、前記長尺の搬送ワイヤの外側に位置し、及び前記摺動接続部に接続されて前記フィルタを拡張形態へと付勢する圧縮部材と、
を備える塞栓防止装置。
【請求項２】
前記フィルタ部材は、さらに、第１メッシュ層と第２メッシュ層とを有する請求項１の装置。
【請求項３】
前記複数のストラットが、前記フィルタの基端部近傍で前記フィルタに接続されている、請求項１の装置。
【請求項４】
前記フィルタの前記先端部は、前記長尺の搬送ワイヤに対してスライドするように、前記長尺の搬送ワイヤに接続されている請求項１の装置。
【請求項５】
さらに、前記装置の外側に設けられた急速交換カテーテルを備える請求項１の装置。
【請求項６】
前記フィルタは、第１直径を有する複数の第１ワイヤと、前記第１直径より大きい第２直径を有する複数の第２ワイヤとで構成された、織り合されたメッシュを含む、請求項１の装置。
【請求項７】
前記フィルタは、前記フィルタの先端部を上回って横方向に圧縮された熱処理中央部を有する請求項１の装置。
【請求項８】
前記フィルタは、放物線形状を有する請求項１の装置。
【請求項９】
前記フィルタの先端部は、さらに、複数のループ状のストラットを有する請求項１の装置。
【請求項１０】
前記フィルタは、複数の長円形状のストラットの内側に設けられている請求項１の装置。
【請求項１１】
前記装置は、さらに、前記長尺の搬送ワイヤを収容する第１通路と、ガイドワイヤを収容する第２通路とを有する請求項１の装置。
【請求項１２】
前記第１通路が円弧形状の断面を有し、前記第２通路が円形状の断面を有する請求項１１の搬送装置。
【請求項１３】
前記長尺の搬送ワイヤは、さらに、ガイドワイヤを収容するサイズに設定された通路を有する請求項１の搬送装置。
【請求項１４】
さらに、選択的に開放可能な端部を有する搬送カテーテルを備える請求項１の搬送装置。
【請求項１５】
前記圧縮部材は、スプリング部材、弾性ポリマー部材、または、エラストマー部材である請求項１の装置。
【請求項１６】
前記複数のストラットは付勢されることにより、前記フィルタの前記基端部に放射状に拡張力を付与している請求項１の装置。
【請求項１７】
前記固定接続部は、テーパ状の領域を有する回転部を有する請求項１の搬送装置。